(57)【要約】フェムトセルにより測定された情報でユーザ装置（ＵＥ）のデータベースを拡張するためのシステム、方法及びコンピュータ製品において、前記方法は、（ａ）フェムトセルによりＲＦ測定を実行することと、（ｂ）前記ＵＥを前記フェムトセルに接続することと、（ｃ）前記フェムトセルにより取られた前記ＲＦ測定値を、前記ＵＥのデータベースにダウンロードすることを含む。異なる態様において、フェムトセルの位置を判定するための複数のＵＥの無線周波数ＲＦ測定値は、フェムトセルの位置を平均化するサーバへ送信される。他の態様において、ＵＥがフェムトセルからの最も強い信号を受信した時点で近隣のマクロセルに対応するＲＦ測定値が格納され、マクロセル位相オフセットのＲＦ測定が実行され、そして、マクロセル環境における変化についての情報がＵＥのデータベースへダウンロードされる。
2011501918.tif 000002
【特許請求の範囲】
【請求項１】
ユーザ装置（ＵＥ）のデータベースを拡張するための方法において、前記方法は、
フェムトセルによる無線周波数（ＲＦ）測定を、該フェムトセルの位置を判定するために実行することと、
前記ＵＥを前記フェムトセルに接続することと、
前記フェムトセルにより取られた前記フェムトセルの前記位置に関連する前記ＲＦ測定値を、前記ＵＥのデータベースにダウンロードすることを含む方法。
【請求項２】
前記ＵＥによりＲＦ測定値を取ることと、
前記フェムトセルへの近接性を推定するために、前記ＵＥにより取られた現在のＲＦ測定値を、前記フェムトセル自身のＲＦ測定値と比較することを更に含む請求項１の方法。
【請求項３】
前記フェムトセルの前記位置は、パイロットがしきい値ＥＣ／ＩｏベクトルＤを超え且つ許容範囲Ｑ内に平均パイロット位相ベクトルＰを持つ基地局（ＢＳ）セットＣにより記述されたエリア内のマクロセル・システム・パラメータからなる請求項１の方法。
【請求項４】
フェムトセルとＵＥとの間のＲＦ測定値の通信は、無線のプロトコルを使用する請求項１の方法。
【請求項５】
ユーザ装置（ＵＥ）において、
前記ＵＥにより取得され、前記ＵＥのために特徴付けられ及び前記ＵＥ上に格納された、データベースを備え、
フェムトセルは、ＲＦ測定値を取り、前記ＵＥが前記フェムトセルに接続された場合に、これらＲＦ測定値を前記ＵＥのデータベースにダウンロードし、前記ＲＦ測定値は、前記フェムトセルの位置に関連するユーザ装置。
【請求項６】
前記ＵＥは、ＲＦ測定値を取り、前記フェムトセルへの近接性を推定するために、前記ＵＥにより取られた現在のＲＦ測定値を、前記フェムトセル自身のＲＦ測定値と比較する請求項５のユーザ装置。
【請求項７】
前記フェムトセルの前記位置は、パイロットがしきい値ＥＣ／ＩｏベクトルＤを超え且つ許容範囲Ｑ内に平均パイロット位相ベクトルＰを持つ基地局（ＢＳ）セットＣにより記述されたエリア内のマクロセル・システム・パラメータからなる請求項５のユーザ装置。
【請求項８】
フェムトセルとＵＥとの間のＲＦ測定値の通信は、プロトコルを使用する請求項５のユーザ装置。
【請求項９】
コンピュータ読み取り可能な媒体を含むコンピュータープログラム製品において、
前記コンピュータ読み取り可能な媒体は、
少なくとも一つのコンピュータに、フェムトセルによるＲＦ測定を、フェムトセルの位置を判定するために実行させるためのコードと、
少なくとも一つのコンピュータに、前記ＵＥを前記フェムトセルに接続させるためのコードと、
少なくとも一つのコンピュータに、前記フェムトセルにより取られた前記フェムトセルの前記位置に関連する前記ＲＦ測定値を、前記ＵＥのデータベースにダウンロードさせるためのコードとを含むコンピュータープログラム製品。
【請求項１０】
前記コンピュータ読み取り可能な媒体は、
少なくとも一つのコンピュータに、前記ＵＥによりＲＦ測定値を取らせるためのコードと、
少なくとも一つのコンピュータに、前記フェムトセルへの近接性を推定するために、前記ＵＥにより取られた現在のＲＦ測定値を、前記フェムトセル自身のＲＦ測定値と比較させるためのコードとを更に含む請求項９のコンピュータープログラム製品。
【請求項１１】
前記フェムトセルの前記位置は、パイロットがしきい値ＥＣ／ＩｏベクトルＤを超え且つ許容範囲Ｑ内に平均パイロット位相ベクトルＰを持つ基地局（ＢＳ）セットＣにより記述されたエリア内のマクロセル・システム・パラメータからなる請求項９のコンピュータープログラム製品。
【請求項１２】
フェムトセルとＵＥとの間のＲＦ測定値の通信は、無線のプロトコルを使用する請求項９のコンピュータープログラム製品。
【請求項１３】
ユーザ装置（ＵＥ）のデータベースを拡張するための装置において、前記装置は、
フェムトセルによるＲＦ測定を、該フェムトセルの位置を判定するために実行することと、
前記ＵＥを前記フェムトセルに接続することと、
前記フェムトセルにより取られた前記フェムトセルの前記位置に関連する前記ＲＦ測定値を、前記ＵＥのデータベースにダウンロードすることを含む方法。
【請求項１４】
前記ＵＥによりＲＦ測定値を取るための手段と、
前記フェムトセルへの近接性を推定するために、前記ＵＥにより取られた現在のＲＦ測定値を、前記フェムトセル自身のＲＦ測定値と比較するための手段とを更に含む請求項１３の装置。
【請求項１５】
前記フェムトセルの前記位置は、パイロットがしきい値ＥＣ／ＩｏベクトルＤを超え且つ許容範囲Ｑ内に平均パイロット位相ベクトルＰを持つ基地局（ＢＳ）セットＣにより記述されたエリア内のマクロセル・システム・パラメータからなる請求項１３の装置。
【請求項１６】
フェムトセルとＵＥとの間のＲＦ測定値の通信は、無線のプロトコルを使用する請求項１３の装置。
【請求項１７】
フェムトセルを検出するためのユーザ装置（ＵＥ）のデータベースを拡張するための方法において、前記方法は、
複数のＵＥによるＲＦ測定（ＲＦ測定は、少なくとも一つのマクロセルに関連するＵＥの位置に基づいて、フェムトセルの位置を判定する）を実行することと、
前記複数のＵＥからバックエンドサーバへ位置情報を送信することと、
前記バックエンドサーバにおいて、前記フェムトセルに対する平均位置について、前記位置を処理することと、
ＵＥを前記バックエンドサーバに接続することと、
前記フェムトセルに対する前記平均位置を、前記ＵＥのデータベースへダウンロードすることを含む方法。
【請求項１８】
前記バックエンドサーバと前記ＵＥとの間の前記位置の前記通信は、前記フェムトセルにより使用される既存のインターネットプロトコルの上で動作するアプリケーションを使用する請求項１７の方法。
【請求項１９】
前記フェムトセルの前記位置は、パイロットがしきい値ＥＣ／ＩｏベクトルＤを超え且つ許容範囲Ｑ内に平均パイロット位相ベクトルＰを持つ基地局（ＢＳ）セットＣにより記述されたエリア内のマクロセル・システム・パラメータからなる請求項１７の方法。
【請求項２０】
フェムトセルを検出するためのユーザ装置（ＵＥ）のデータベースを拡張するためのシステムにおいて、前記システムは、
複数のユーザ装置（ＵＥ）と、
前記ＵＥにより取得され、前記ＵＥのために特徴付けられ及び前記ＵＥ上に格納された、データベースと、
マクロセルモバイルネットワークの一部を含むバックエンドサーバとを含み、
前記複数のＵＥは、ＲＦ測定を実行するものであり、ＲＦ測定値は、少なくとも一つのマクロセルに関連するＵＥの位置に基づいて、フェムトセルの位置を判定するものであり、
前記複数のＵＥは、バックエンドサーバへ位置情報を送信するものであり、
前記バックエンドサーバは、前記フェムトセルに対する平均位置について、前記位置を処理するものであり、
前記ＵＥは、バックエンドサーバに接続するものであり、
前記バックエンドサーバは、前記フェムトセルに対する前記平均位置を、前記ＵＥのデータベースへダウンロードするものであるシステム。
【請求項２１】
前記バックエンドサーバと前記ＵＥとの間の前記位置の前記通信は、前記フェムトセルにより使用される既存のインターネットプロトコルの上で動作するアプリケーションを含むする請求項２０のシステム。
【請求項２２】
前記フェムトセルの前記位置は、パイロットがしきい値ＥＣ／ＩｏベクトルＤを超え且つ許容範囲Ｑ内に平均パイロット位相ベクトルＰを持つ基地局（ＢＳ）セットＣにより記述されたエリア内のマクロセル・システム・パラメータからなる請求項２０のシステム。
【請求項２３】
少なくとも一つのコンピュータにＵＥによるＲＦ測定を実行させるためのコードを含むコンピュータ読み取り可能な媒体を含むコンピュータープログラム製品において、
前記コンピュータ読み取り可能な媒体は、
少なくとも一つのコンピュータに、複数のＵＥによるＲＦ測定（ＲＦ測定は、少なくとも一つのマクロセルに関連するＵＥの位置に基づいて、フェムトセルの位置を判定する）を実行させるためのコードと、
少なくとも一つのコンピュータに、前記ＵＥからバックエンドサーバへ位置情報を送信させるためのコードと、
少なくとも一つのコンピュータに、前記バックエンドサーバにおいて、前記フェムトセルに対する平均位置について、前記位置を処理させるためのコードと、
少なくとも一つのコンピュータに、ＵＥを前記バックエンドサーバに接続させるためのコードと、
少なくとも一つのコンピュータに、前記フェムトセルに対する前記平均位置を、前記ＵＥのデータベースへダウンロードさせるためのコードとを含むコンピュータープログラム製品。
【請求項２４】
前記バックエンドサーバと前記ＵＥとの間の前記位置の前記通信は、前記フェムトセルにより使用される既存のインターネットプロトコルの上で動作するアプリケーションを使用する請求項２３のコンピュータープログラム製品。
【請求項２５】
前記フェムトセルの前記位置は、パイロットがしきい値ＥＣ／ＩｏベクトルＤを超え且つ許容範囲Ｑ内に平均パイロット位相ベクトルＰを持つ基地局（ＢＳ）セットＣにより記述されたエリア内のマクロセル・システム・パラメータからなる請求項２３のコンピュータープログラム製品。
【請求項２６】
フェムトセルを検出するためのユーザ装置（ＵＥ）のデータベースを拡張するための装置において、前記装置は、
複数のＵＥによるＲＦ測定（ＲＦ測定は、少なくとも一つのマクロセルに関連するＵＥの位置に基づいて、フェムトセルの位置を判定する）を実行するための手段と、
前記複数のＵＥからバックエンドサーバへ位置情報を送信するための手段と、
前記バックエンドサーバにおいて、前記フェムトセルに対する平均位置について、前記位置を処理するための手段と、
ＵＥを前記バックエンドサーバに接続するための手段と、
前記フェムトセルに対する前記平均位置を、前記ＵＥのデータベースへダウンロードするための手段とを含む装置。
【請求項２７】
前記バックエンドサーバと前記ＵＥとの間の前記位置の前記通信は、前記フェムトセルにより使用される既存のインターネットプロトコルの上で動作するアプリケーションを使用する請求項２６の装置。
【請求項２８】
前記フェムトセルの前記位置は、パイロットがしきい値ＥＣ／ＩｏベクトルＤを超え且つ許容範囲Ｑ内に平均パイロット位相ベクトルＰを持つ基地局（ＢＳ）セットＣにより記述されたエリア内のマクロセル・システム・パラメータからなる請求項２６の装置。
【請求項２９】
フェムトセルを検出するためのユーザ装置（ＵＥ）のデータベースを拡張するための方法において、前記方法は、
前記ＵＥにより、前記ＵＥがフェムトセルから最も強い信号（該最も強い信号は、前記フェムトセルに最も近接した位置に対応する）を受信する時点で、隣接するマクロセルに対するＲＦ測定値を格納することと、
前記ＵＥにより、マクロセル位相オフセットに関連するＲＦ測定を実行することと、
前記マクロセル環境における変化に関連する情報を、前記ＵＥのデータベースにダウンロードすることを含む方法。
【請求項３０】
前記ＵＥが前記フェムトセルからより強い信号をサンプリングするごとに、前記ＵＥのデータベース中のエントリーを書き直すことを更に含む請求項２９の方法。
【請求項３１】
前記フェムトセルにおける前記ＲＦは、前記ＵＥにおけるエラー状態をトリガーするために使用され、関連するＵＥによりレポートされる前記測定値中に大きな相違が存在する場合には、前記ＵＥのデータベースを消去する請求項２９の方法。
【請求項３２】
フェムトセルを検出するためのユーザ装置（ＵＥ）のデータベースを拡張するためのシステムにおいて、前記システムは、
ユーザ装置（ＵＥ）と、
近隣を訪問中に前記ＵＥにより取得され前記ＵＥのデータベースに格納された、隣接するマクロセルのデータベースとを含み、
前記ＵＥは、前記ＵＥがフェムトセルから最も強い信号（該最も強い信号は、前記フェムトセルに最も近接した位置に対応する）を受信する時点で、隣接するマクロセルに対するＲＦ測定値を格納するものであり、
前記ＵＥは、マクロセル位相オフセットに関連するＲＦ測定を実行し、前記マクロセル環境における変化に関連する情報を、前記ＵＥのデータベースにダウンロードすることを含むシステム。
【請求項３３】
前記ＵＥが前記フェムトセルからより強い信号をサンプリングするごとに、前記ＵＥのデータベース中のエントリーを書き直すことを更に含む請求項３２のシステム。
【請求項３４】
前記フェムトセルにおける前記ＲＦは、前記ＵＥにおけるエラー状態をトリガーするために使用され、関連するＵＥによりレポートされる前記測定値中に大きな相違が存在する場合には、前記ＵＥのデータベースを消去する請求項３２のシステム。
【請求項３５】
コンピュータ読み取り可能な媒体を含むコンピュータープログラム製品において、
前記コンピュータ読み取り可能な媒体は、
少なくとも一つのコンピュータに、前記ＵＥにより、前記ＵＥがフェムトセルから最も強い信号（該最も強い信号は、前記フェムトセルに最も近接した位置に対応する）を受信する時点で、隣接するマクロセルに対するＲＦ測定値を格納させるためのコードと、
少なくとも一つのコンピュータに、前記ＵＥにより、マクロセル位相オフセットに関連するＲＦ測定を実行させるためのコードと、
少なくとも一つのコンピュータに、前記マクロセル環境における変化に関連する情報を、前記ＵＥのデータベースにダウンロードさせるためのコードとを含むコンピュータープログラム製品。
【請求項３６】
フェムトセルを検出するためのユーザ装置（ＵＥ）のデータベースを拡張するための装置において、前記装置は、
前記ＵＥにより、前記ＵＥがフェムトセルから最も強い信号（該最も強い信号は、前記フェムトセルに最も近接した位置に対応する）を受信する時点で、隣接するマクロセルに対するＲＦ測定値を格納するための手段と、
前記ＵＥにより、マクロセル位相オフセットに関連するＲＦ測定を実行するための手段と、
前記マクロセル環境における変化に関連する情報を、前記ＵＥのデータベースにダウンロードするための手段とを含む装置。
【請求項３７】
前記ＵＥが前記フェムトセルからより強い信号をサンプリングするごとに、前記ＵＥのデータベース中のエントリーを書き直すことを更に含む請求項３６の装置。
【請求項３８】
前記フェムトセルにおける前記ＲＦは、前記ＵＥにおけるエラー状態をトリガーするために使用され、関連するＵＥによりレポートされる前記測定値中に大きな相違が存在する場合には、前記ＵＥのデータベースを消去する請求項３６の装置。
【発明の詳細な説明】
【技術分野】
【０００１】
本出願は、一般に無線通信に関し、より詳しくはフェムトセルを検出するための情報を記憶するための方法及びシステムに関するものである。
【背景技術】
【０００２】
複数のユーザに様々なタイプの通信（例えば、ボイス、データ、マルチメディアサービスなど）を提供するために、無線通信システムが広く配置される。高レート及びマルチメディアのデータサービスの需要が急速に増大するにつれて、強化されたパフォーマンスを備えた効率的で強健な通信システムを実装するという課題が待ち受けている。
【０００３】
近年、ユーザは、固定回線通信を移動体通信で置き換え始め、良いボイス品質、信頼できるサービス及び低価格をますます要求した。
【０００４】
現在実施されている携帯電話網に加えて、新たな種類の小型基地局が出現した。それは、ユーザの家庭に設置され、既存の広帯域インターネット接続を使用して、携帯電話端末に屋内の無線カバレージを提供することができる。そのようなパーソナルな小型基地局は、アクセスポイント基地局又は代わりにＨｏｍｅ Ｎｏｄｅ Ｂ（ＨＮＢ）若しくはフェムトセルとして一般に知られている。一般的に、そのような小型基地局は、ＤＳＬルータ又はケーブルモデム又は他のバックホール技術を介してインターネット及び携帯電話会社のネットワークに接続される。
【０００５】
移動局及びフェムトセルでの問題の１つは、それがマクロセルラーネットワーク上で動作している場合に、どのようにしてフェムトセルを見つけ出すかである。移動局は、フェムトセルにより使用される周波数とは異なる周波数上に存在するかも知れない。あるいは、フェムトセルは、幾つかの利用可能なキャリア周波数のうちの１つを再使用するかも知れない。移動局がまさにその周波数上に存在しなければ、たとえそれがフェムトセルのカバレージ内に存在しても、それはフェムトセルを見逃し、マクロセルの上で動作し続けるであろう。その上、たとえフェムトセルを見つけ出す方法があるとしても、移動局は、それにアクセスする許可を与えられないかもしれない（アクセスは制限されるかもしれない）。その問題は、新しいフェムトセルが常に動作中にされるという事実により更に複雑になる可能性がある。
【０００６】
現在提案された解決は、フェムトにより使用される周波数の上でのフェムトセルの存在を、他の周波数の上でシグナルするパイロットビーコンを使用するものである。それが他の周波数上での干渉を増大させるので、このアプローチには欠点がある。他の提案は、フェムトセルの一定の周期的な探索を含んでおり、それはバッテリー寿命に悪影響を及ぼす可能性がある。したがって、フェムトセルをどこで探索するかについて判定できるモバイルデバイスのための技術の必要性が存在する。
【発明の概要】
【０００７】
好ましい実施態様は、関係のある技術の１つ又は複数の不利な点をかなり取り除くフェムトセルを検出するための情報を記憶するためのシステム及び方法に関係する。
【０００８】
好ましい実施態様の一つの態様において、フェムトセルにより測定された情報でユーザ装置（ＵＥ）のデータベースを拡張するためのためのシステム、方法及びコンピュータ製品があり、前記方法は、（ａ）フェムトセルによるＲＦ測定値を、該フェムトセルの位置を判定するために実行することと、（ｂ）前記ＵＥを前記フェムトセルに接続することと、（ｃ）前記フェムトセルにより取られた前記フェムトセルの前記位置に関連する前記ＲＦ測定値を、前記ＵＥのデータベースにダウンロードすることを含む。
【０００９】
本方法は更に、（ａ）前記ＵＥによりＲＦ測定値を取ることと、（ｂ）前記フェムトセルへの近接性を推定するために、前記ＵＥにより取られた現在のＲＦ測定値を、前記フェムトセル自身のＲＦ測定値と比較することを含む。
【００１０】
明らかに、これは、フェムトセルとＵＥとの間でこの情報を通信するためのプロトコルを要求する。新たな通信プロトコルに対する簡単な代案は、ＵＥが、それが関連するフェムトセルからの最も強い信号を受信した時点で、近隣のマクロセルに対するＲＦ測定値を格納するためのものになるであろう。
【００１１】
好ましい実施態様の他の態様において、フェムトセルのパイロット位相をセットするためのシステム、方法及びコンピュータ製品が存在し、フェムトセルを検出するために複数のＵＥからの複数のＵＥレポートに基づいてバックエンドサーバにおいて処理された情報でユーザ装置（ＵＥ）のデータベースを拡張するための方法において、前記方法は、（ａ）複数のＵＥによるＲＦ測定（ＲＦ測定は、少なくとも一つのマクロセルに関連するＵＥの位置に基づいて、フェムトセルの位置を判定する）を実行することと、（ｂ）バックエンドサーバへ位置情報を送信することと、（ｃ）前記バックエンドサーバにおいて、前記フェムトセルに対する平均位置について、前記位置を処理することと、（ｄ）ＵＥを前記バックエンドサーバに接続することと、（ｅ）前記フェムトセルに対する前記平均位置を、前記ＵＥのデータベースへダウンロードすることを含む。
【００１２】
一つの実施態様において、それは、バックエンドサーバとＵＥとの間でこの情報を通信するための無線プロトコルを要求しない。この実施形態については、フェムトセル２１０により通常使用される既存のインターネットプロトコル（例えばＴＣＰ／ＩＰ）の上で動作するアプリケーションが使用される。
【００１３】
好ましい実施態様の他の態様において、フェムトセルのパイロット位相をセットするためのシステム、方法及びコンピュータ製品が存在し、マクロセル環境における変化に関連する情報でユーザ装置（ＵＥ）のデータベースを拡張するための方法において、前記方法は、（ａ）前記ＵＥにより、前記ＵＥがフェムトセルから最も強い信号を受信する時点で、隣接するマクロセルに対するＲＦ測定値を格納することと、（ｂ）前記ＵＥにより、マクロセル位相オフセットに関連するＲＦ測定を実行することと、（ｃ）前記マクロセル環境における変化に関連する情報を、前記ＵＥのデータベースにダウンロードすることを含む。
【００１４】
前に保存されたマクロセルについての情報は、パイロットの強度に応じて、ＵＥのデータベースに残っても良い。
【００１５】
本発明の更なる特徴及び利点は、後に続く説明で述べられ、一つには説明から明白になるであろうし或いは発明の実践により確認されることもできる。本発明の利点は、添付された図面に加えて記述された説明及び請求項において詳しく指し示された構造によって実現及び達成されるであろう。
【００１６】
前述の一般的な説明及び以下の詳細な説明は、例示的且つ説明的でなものであり、また、クレームされた本発明の更なる説明を提供することを目的としていることは理解されるべきである。
【図面の簡単な説明】
【００１７】
【図１】図１は、例示的な無線通信システムである。
【図２】図２は、ネットワーク環境内のアクセスポイント基地局の配置を可能にする例示的な通信システムである。
【図３】図３は、フェムトセルにより測定される情報でユーザ装置（ＵＥ）のデータベースを拡張する方法を例示する。
【図４】図４は、自律的且つカスタマイズされたフェムトセルの発見（discovery）の改良を例示する。
【図５】図５は、パイロット位相プランニング・チャート（pilot phase planning chart）を例示する。
【図６】図６は、複数のＵＥからのレポートに基づいてバックエンドサーバにおいて処理される情報でユーザ装置（ＵＥ）のデータベースを拡張するために使用されるシステムを例示する。
【図７Ａ】図７Ａは、複数のＵＥからのレポートに基づいてバックエンドサーバにおいて処理される情報でユーザ装置（ＵＥ）のデータベースを拡張する方法である。
【図７Ｂ】図７Ｂは、通信コンポーネントの幾つかのサンプル態様の簡略化されたブロック図を示す。
【図８】図８は、ユーザ装置（ＵＥ）のデータベースを拡張する代わりの方法である。
【図９】図９は、本明細書で説明される更なる態様に従ったシステム８００のサンプル・ブロック図を示す。
【詳細な説明】
【００１８】
語“例示的な（exemplary）”は、“例（example）、事例（instance）又は説明（illustration）として役立つこと（serving）”を意味するために本明細書で用いられる。“例示的な（exemplary）”として本明細書で説明される実施形態は、必ずしも他の実施形態よりも望ましい又は有利であるとして解釈される必要はない。本明細書で説明される技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどのような、様々な無線通信ネットワークのために使用されることができる。用語“ネットワーク（networks）”及び“システム（systems）”は、しばしば互換的に使用される。ＣＤＭＡシステムは、例えばユニバーサル地上無線アクセス（ＵＴＲＡ）、ｃｄｍａ２０００などのような無線技術を実装することができる。ＵＴＲＡは、ワイドバンドＣＤＭＡ（Ｗ−ＣＤＭＡ）及び低チップレート（Low Chip Rate）（ＬＣＲ）を含む。ｃｄｍａ２０００は、ＩＳ−２０００標準、ＩＳ−９５標準及びＩＳ−８５６標準をカバーする。ＴＤＭＡネットワークは、例えばグローバル移動体通信システム（Global System for Mobile Communications）（ＧＳＭ）のような無線技術を実装することができる。ＯＦＤＭＡシステムは、例えばEvolved ＵＴＲＡ（Ｅ−ＵＴＲＡ）、ＩＥＥＥ ８０２．１１、ＩＥＥＥ ８０２．１６、ＩＥＥＥ ８０２．２０、Ｆｌａｓｈ−ＯＦＤＭ（登録商標）などのような無線技術を実装することができる。ＵＴＲＡ、Ｅ−ＵＴＲＡ及びＧＳＭは、ユニバーサル移動通信システム（Universal Mobile Telecommunication System）（ＵＭＴＳ）の一部である。ロングタームエボリューション（Long Term Evolution）（ＬＴＥ）は、Ｅ−ＵＴＲＡを使う、ＵＭＴＳの来るリリースである。ＵＴＲＡ、Ｅ−ＵＴＲＡ、ＧＳＭ、ＵＭＴＳ及びＬＴＥは、“第３世代パートナーシッププロジェクト”（３ＧＰＰ）という名前の団体からのドキュメントに記載されている。ｃｄｍａ２０００は、“第３世代パートナーシッププロジェクト２”（３ＧＰＰ２）という名前の団体からのドキュメントに記載されている。これら各種の無線技術及び標準は、当該技術分野において知られている。
【００１９】
本明細書の説明において、比較的大きなエリアにわたるカバレージを提供するノードはマクロノードと呼ぶことができ、一方、比較的小さなエリア（例えば住宅）にわたるカバレージを提供するノードは、フェムトノードと呼ぶことができる。本明細書の教示は、他のタイプのカバレージエリアに関連するノードに適用できることは認識されるべきである。例えば、ピコノードは、マクロエリアより狭く、フェムトエリアより広いエリアにわたるカバレージ（例えば商業ビル内のカバレージ）を提供しても良い。様々なアプリケーションでは、マクロノード、フェムトノード又は他のアクセスポイントのタイプのノードを参照するために、他の用語が使用されても良い。例えば、マクロノードは、アクセスノード、基地局、アクセスポイント、ｅＮｏｄｅ Ｂ、マクロセルなどとして構成され又は呼ばれることができる。同様に、フェムトノードは、ホームＮｏｄｅ Ｂ（Home NodeB）、ホームｅＮｏｄｅ Ｂ（Home eNodeB）、アクセスポイント基地局、フェムトセルなどとして構成され又は呼ばれても良い。幾つかの実装では、ノードは１つ又は複数のセル又はセクターに関係して（例えば、分割されて）いても良い。マクロノード、フェムトノード又はピコノードに関連するセル又はセクターは、それぞれ、マクロセル、フェムトセル又はピコセルと呼ばれても良い。フェムトノードがネットワーク中にどのように配置されることができるかについての簡略化された例は、図１及び２を参照して説明される。
【００２０】
図１は、多数のユーザをサポートするように構成される例示的な無線通信システム１００を示す。そこにおいて、様々な開示された実施形態及び態様が実装されても良い。図１に示されるように、例として、システム１００は、例えばマクロセル１０２ａ−１０２ｇのような複数のセル１０２に関する通信を提供する。各々のセルは、例えばＡＰ１０４ａ−１０４ｇのような対応するアクセスポイント（ＡＰ）又はポイント１０４によりサービスされている。各々のマクロセルは、１又は複数のセクター（図示せず）にさらに分割されても良い。さらに図１に示されるように、ユーザ装置（ＵＥ）、移動局（ＭＳ）又は端末デバイスとしても互換的に知られている、ＡＴ１０６ａ−１０６ｌを含む様々なアクセス端末（ＡＴ）デバイス１０６は、システムの全体にわたる様々な位置に分散し得るものである。各々のＡＴ１０６は、例えば、ＡＴがアクティブかどうか及びそれがソフトハンドオフ中であるかどうかに応じて、所与の瞬間において順方向リンク（ＦＬ）及び／又は逆方向リンク（ＲＬ）の上で１つ又は複数のＡＰ１０４と通信し得る。無線通信システム１００は、広い地理的領域にわたってサービスを提供し得るものである。例えば、マクロセル１０２ａ−１０２ｇは、自宅周辺（neighborhood）のほんの少数ブロック又は地方の環境（rural environment）における数平方マイルをカバーし得る。
【００２１】
図２は、ネットワーク環境内のフェムトセル（アクセスポイント基地局）としても知られているフェムトノードの配置を可能にする例示的な通信システムを示す。図２に示されるように、システム２００は、例えばＨＮＢ２１０，２１５のような、複数のフェムトノード又は代わりにフェムトセル、アクセスポイント基地局、ホームＮｏｄｅ Ｂ（ＨＮＢ）ユニットを含む。各々は、例えば１又は複数のサイト２３０のような対応する比較的狭いカバレージのネットワーク環境中に設置され、例えば関連するユーザ装置２２０にサービスするように構成されるなどである。各々のＨＮＢ２１０は、例えばインターネット２４０のような広域ネットワークを経由して、マクロモバイルオペレータ・コアネットワーク２５０（“コアネットワーク”とも呼ばれる）を含むインターネット上の任意のノードと通信するように接続され更に構成されても良い。図示されているように、端末装置２２０とマクロモバイルオペレータ・コアネットワーク２５０との間に、少なくとも２本の通信経路（すなわち、マクロセルアクセスを含む経路及びインターネット２４０を含む経路）が存在する。
【００２２】
本明細書で説明される実施態様は、３ＧＰＰ用語を使用するが、本実施態様は、３ＧＰＰ(Ｒｅｌ９９，Ｒｅｌ５，Ｒｅｌ６，Ｒｅｌ７）技術だけでなく、３ＧＰＰ２（１ｘＲＴＴ，１ｘＥＶ−ＤＯ Ｒｅｌ０，ＲｅｖＡ，ＲｅｖＢなど）、ＷｉＭａｘ及び他の既知で関係のある技術にも適用されることができることは、理解されるべきである。本明細書で説明されるそのような実施態様において、ＨＮＢ２１０及びＨＮＢ２１５の所有者は、マクロモバイルオペレータのコアネットワーク２５０を介して提供される例えば３Ｇモバイル・サービスのようなモバイル・サービスをサブスクライブし、ＵＥ２２０は、マクロセル環境中及び住居の小規模のカバレージのネットワーク環境中で動作することができる。それゆえ、ＨＮＢ２１０及びＨＮＢ２１５は、任意の既存のＵＥ２２０との下位互換性を持つ。
【００２３】
さらに、マクロセルのモバイルネットワーク２５０に加えて、ＵＥ２２０は限られた数のＨＮＢ２１０（例えば、ユーザの住居２３０内に位置するＨＮＢ２１０）によりサービスされることができる。例えば、ＵＥ２２０は、それがＨＮＢ２１５にアクセスしない間、ＨＮＢ２１０によりサービスされても良い。
【００２４】
ＵＥ及びＨＮＢ又はフェムトセルでの問題の１つは、それがマクロセルラーネットワーク２５０上で動作している場合にどのようにしてフェムトセル２１０を見つけ出すかである。ＵＥ２２０は、フェムトセルにより使用される周波数とは異なる周波数上で動作しているかも知れない。探索手続きの過程で、ＵＥ２２０がマクロセルからのネイバーリストを調べる場合に、それはフェムトセル２１０を見つけ出さないであろう。フェムトセルは、幾つかの利用可能なキャリア周波数のうちの１つを使用するかも知れない。ＵＥ２２０がまさにその周波数上で動作していなければ、たとえそれがフェムトセル２１０のカバレージ内に存在しても、それはフェムトセル２１０を見逃し、マクロセルの上で動作し続けるであろう。その上、たとえフェムトセル２１５を見つけ出す方法があるとしても、ＵＥ２２０は、それにアクセスする許可を与えられないかもしれない（アクセスは制限されるかもしれない）。その問題は、新しいフェムトセルが常に動作中にされるという事実により更に複雑になる可能性がある。本発明の重要な利点は、ネットワーク・ダウンロードの要求のない、ＵＥの改善されたバッテリー性能の主として自立的な動作及び自動的な供給を含む。
【００２５】
以下に詳細に説明される実施態様によると、ＵＥ２２０は、そのＵＥ２２０のために特徴付けられた、諸ＨＮＢ又は諸フェムトセル２１０のデータベースを（学習によって又は別の方法によって）取得する。データベースは、ＵＥ２２０に格納され、各々のフェムトセル２１０について以下の情報を含んでも良い： − キャリア周波数 − 位置（緯度／経度（ＬＡＴ／ＬＯＮ）、又は代わりとなるもの） − 与えられたしきい値を上回るＥＣ／Ｉｏを持つ、ホットスポット（Hot Spot）の近傍におけるＣＤＭＡパイロット及び位相オフセットのリスト − このアクセス端末又はＵＥ２２０によりフェムトアクセスが最後に使用された／取得された日付（Date） − 例えばフェムトセルのためのシステムＩＤ、フェムトセルのためのネットワークＩＤ、及びフェムトセルにより使用される無線技術のような、他の識別情報。
【００２６】
一つの実施形態において、データベースの各々のエントリーは、そのフェムト位置において認識できるマクロパイロットからなる非直交座標系における（最小のＥＣ／Ｉｏへの制限をもつ）フェムトセル位置、各々のパイロットの位相遅延、及びその基準位相遅延の周辺で許容される偏差を記述する。データベースがＵＥ２２０において既に利用可能である場合、それはフェムト探索を低減するように使用されることができる（すなわち、データベースに一致がある場合のみ、フェムト探索を行う）。データベースの一致がある場合に限り、ＦＦ以外の周波数の上のＵＥ２２０が、ＦＦの上で探索を行う。一つの実施態様では、データベース・エレメントは、マクロパイロットＰＮオフセットを含む。そして、それは、ＵＥ２２０によって、それがアイドル状態において監視している如何なるキャリアの上でも、すべて認識できる。これらのＰＮオフセットは、アイドル状態におけるルーチン・オペレーションの過程で、ＵＥに対してアクセス可能である。また、データベースの一致があるまで、ＵＥは異なることを何もする必要がない。その後、ＵＥ２２０は、ＨＮＢ又はフェムトセル２１０を求めてスキャンし始める。そして、それは異なる周波数上にある。このようにオペレートすることは、バッテリー・ドレナージ（battery drainage）を低減するであろう。
【００２７】
図３は、フェムトセルにより測定される情報でユーザ装置（ＵＥ）のデータベースを拡張する方法を例示する。フェムトセル２１０は、同期、位置、パイロットＰＮプランニングなどのような様々な構成対象を促進にするために、一般的に、マクロチャネルを受信する無線をもつであろう。したがって、フェムト２１０は、その順方向リンク送信機に加えて、順方向リンク受信機をも持っているので、それは、それ自身、近隣のマクロセル内のそのＲＦ環境を測定できるはずである。高度なアンテナ構成は、干渉を低減させる。さらに、フェムト２１０は固定されたものであり且つ長い期間にわたって測定値を平均することができるので、この測定値はかなり正確になりそうである。フェムト２１０は、近隣のマクロセルのパイロットを探索するために、非常に弱いパイロットからのＣＤＭＡ信号を積算する多くの時間を費やすことができる。フェムト２１０は、ステップ３０２において、それ自身の測定を実行する。
【００２８】
ステップ３０４において、ＵＥ２２０は、初めてフェムト２１０に接続する。フェムト２１０は、フェムトセルの位置を判定するために、ステップ３０６において、その測定値又はパラメータを、ＵＥのデータベースへダウンロードする。ステップ３０８において示されるように、ＵＥ２２０が二度目フェムト２１０にアプローチするときに、ステップ３１０で示されるように、それは、フェムト２１０に対する近接性を推定するために、その現在の測定値（measurements）をフェムト自身の測定値（readings）と比較することができる。これには、ステップ３１２において示されるように、ＵＥ２２０が二度目とは異なる方向からもう一度（三度目に）フェムトセル２１０にアプローチする場合に、比較ポイントがフェムト２１０それ自身においてであれば、測定におけるエラーは最小にされるであろう、という更なる利点があり、そして、それは、システムをより頑強にする。
【００２９】
図４は、自律的且つカスタマイズされたフェムトセルの発見（discovery）の改良を例示する。フェムトセルの位置は、パイロットがしきい値ＥＣ／ＩｏベクトルＤを超え且つ許容範囲Ｑ内に位相Ｐを持つ基地局（ＢＳ）セットＣにより記述されたエリア内のマクロ・システム・パラメータからなるプリミティブ（primitives）を用いて記述されても良い。これらすべてのパラメータは、ＣＤＭＡ手続き（アイドル又はアクティブ状態）をほとんど変更せずに又はまったく変更せずに測定されることができ、それゆえに、それらは、例えばアシストＧＰＳジオロケーション(A-GPS geo-location)と対照的に、バッテリー寿命又はネットワーク使用の観点では、最小のコストを持つであろう。
【００３０】
図５は、パイロット位相プランニング・チャートを例示する。チャートは、フェムトセルが非常に高密になる可能性があることを示す。ＭＰ０〜ＭＰ７は、マクロセルのためのＰＮオフセットであり、ｆＰ１及びｆＰ２は、フェムトセルのための位相オフセットである。長期的には、マクロセル用と同数のフェムトＰＮオフセットが存在しても良い。これは、２つの方法で達成することができる：（１）ＰＩＬＯＴ＿ＩＮＣをデクリメントする、したがってフェムトセル用の奇数のＰＮオフセットを作成する；（２）奇数のＰＮオフセットを偶数のＰＮオフセットに再割り当てすることによって、マクロマクロセルラーネットワークを再プログラムする。
【００３１】
例えば、２π／１２８＊２ｉは、６４個のマクロＰＮオフセット（偶数の）をもたらし、また、２π／１２８＊（２ｉ＋１）は、６４個のフェムトＰＮオフセット（奇数のＰＮオフセット）をもたらす。初めに、低い密度のフェムトにおいて、（ネイバーリスト中に明示的にある）ＰＮオフセットのサブセットは、フェムトのために使用されても良い。フェムトの密度が高くなるころには、新しいフェムトに気付いているＭＳは、フェムトＰＮオフセットの完全なセットを、配置されたであろうし、また、処理することができる。
【００３２】
一つの実施態様において、無線プロトコル（over-the-air protocol）は、この情報を伝えることを要求されるフェムト２１０とＵＥ２２０との間でこの情報を通信することを要求される。新たな通信プロトコルに対する簡単な代案は、ＵＥ２２０が、それが関連するフェムトセルからの最も強い信号を受信した時点で、近隣のマクロセルに対するＲＦ測定値を格納するためのものになるであろう。最も強い信号は、最も近接した位置に対応しそうであるので、これは、ＵＥのデータベース・エントリーにおけるエラーを最小にする。このエントリーは、ＵＥがフェムトからのより強い信号をサンプリングするごとに、リライトされても良い。
【００３３】
最後に、関連するＵＥによりレポートされる測定値と、フェムトにおいて作られたそれらとにおいて大きな相違が存在するならば、フェムトセル２１０におけるこの測定値は、ＵＥにおける何らかのエラー状態をトリガーするために使用されることができる。
【００３４】
新しい通信プロトコルに対する他の代案は、複数のＵＥレポートに基づいてバックエンドサーバにおいて情報が処理される場合である。図６は、複数のＵＥのレポートに基づいてバックエンドサーバにおいて処理される情報でユーザ装置（ＵＥ）のデータベースを拡張するために使用されるシステムを例示する。複数のＵＥ２２０は、フェムトセルの位置に関連するＲＦ測定を行う。バックエンドサーバ６１０は、マイクロセルモバイルネットワーク２５０の一部である。ＵＥ２２０は、フェムトセルの位置に関連するＵＥの測定値を、バックエンドサーバ６１０に送信する。バックエンドサーバ６１０は、そのフェムトセルに対する位置を平均化するために、これらの位置を処理する。サーバ６１０は、インターネット上のバックエンドサーバと通信するＵＥ２２０上のアプリケーションを使用することにより、フェムトセルに関して処理された平均位置を、ＵＥ２２０のデータベースへダウンロードする。サーバ６１０は、インターネット２４０に接続されたままである。
【００３５】
図７Ａは、フェムトセルを検出するための複数のＵＥからのＵＥレポートに基づいてバックエンドサーバにおいて処理される情報でユーザ装置（ＵＥ）のデータベースを拡張する方法を例示するフローチャートである。バックエンドサーバ６１０は、マイクロセルモバイルネットワーク２５０の一部である。ステップ７０２において、複数のＵＥ２２０は、フェムトセルの位置と関係するＲＦ測定を行う。ステップ７０４において、複数のＵＥ２２０は、フェムトセルの位置に関係するこれら複数の測定値を、バックエンドサーバ６１０へ送信する。ステップ７０６において、サーバ６１０は、フェムトセルに対する位置を平均化するために、これらの位置を処理する。ステップ７０８において、ＵＥ２２０をバックエンドサーバ６１０に接続する。ステップ７０９において、バックエンドサーバ６１０は、フェムトセルに関する平均位置を、ＵＥ２２０のデータベースへダウンロードする。
【００３６】
一つの実施形態において、これは、バックエンドサーバとＵＥとの間でこの情報を通信するための新たな無線プロトコルを要求しない。この実施形態については、フェムトセル２１０により通常使用される既存のインターネットプロトコル（例えばＴＣＰ／ＩＰ）の上で動作するアプリケーションが使用される。
【００３７】
本明細書の教示が様々なタイプの通信装置に実装されても良いことは認識されるべきである。幾つかの態様において、本明細書の教示は、複数の無線アクセス端末に関する通信を同時にサポートできる多元接続通信システムに配置される無線デバイスに、実装されても良い。ここで、各々の端末は、順方向リンク及び逆方向リンクの上の伝送を介して、１つ又は複数のアクセスポイントと通信しても良い。順方向リンク（又はダウンリンク）は、アクセスポイントから端末までの通信リンクを指し示し、逆方向リンク（又はアップリンク）は、端末からアクセスポイントまでの通信リンクを指し示す。この通信リンクは、単一入力単一出力システム、多重入力多重出力（“ＭＩＭＯ”）システム、又は何らかの他のタイプのシステムを介して、確立されても良い。
【００３８】
ＭＩＭＯシステムは、データ伝送のために複数の（NT個の）送信アンテナ及び複数の（(NR個の）受信アンテナを使用する。ＮＴ個の送信アンテナ及びＮＲ個の受信アンテナによって形成されるＭＩＭＯチャネルは、空間チャネルとも呼ばれる、ＮＳ個の独立したチャネルに分解されることができる。ここで、ＮＳ≦ｍｉｎ｛ＮＴ，ＮＲ｝である。ＮＳ個の独立したチャネルの各々は、一つの次元に対応する。複数の送信及び受信アンテナによって作成される更なる次元が利用される場合、ＭＩＭＯシステムは、向上したパフォーマンス（例えば、より高いスループット及び／又はより大きな信頼性）を提供することができる。
【００３９】
ＭＩＭＯシステムは、時分割双方向（“ＴＤＤ”）システム及び周波数分割双方向（“ＦＤＤ”）システムをサポートする。ＴＤＤシステムにおいて、順方向リンクの伝送及び逆方向リンクの伝送は、相互関係原則が逆方向リンク・チャネルから順方向リンク・チャネルを推定することを可能にするように、同一の周波数領域上にある。これは、アクセスポイントにおいて複数のアンテナが利用できる場合に、アクセスポイントが、順方向リンク上で送信ビームフォーミング利得（transmit beamforming gain）を抽出することを可能にする。
【００４０】
本明細書の教示は、少なくとも一つの他のノードと通信するための様々なコンポーネントを使用するノード（例えばデバイス）に組み込まれても良い。図７Ｂは、ノード間の通信を容易にするために使用されてもよい幾つかのサンプル・コンポーネントを示す。詳しくは、図７Ｂは、ＭＩＭＯシステム７００の無線デバイス７１０（例えばアクセスポイント）及び無線デバイス７５０（例えばアクセス端末）を例示する。デバイス７１０において、幾らかのデータストリーム用のトラフィック・データは、データソース７１２から送信（“ＴＸ”）データプロセッサ７１４へ提供される。
【００４１】
幾つかの実施形態では、各々のデータストリームは、それぞれの送信アンテナを通して送信される。ＴＸデータプロセッサ７１４は、符号化されたデータを供給するために、そのデータストリームについて選択された特定の符号化スキームに基づいて、各々のデータストリームのためのトラフィック・データを、フォーマットし、符号化し、そして、インターリーブする。
【００４２】
各々のデータストリームのための符号化されたデータは、ＯＦＤＭ技術を使用して、パイロット・データと多重化されることができる。パイロット・データは、一般的に、既知の方法で処理された既知のデータ・パターンであり、また、チャネル・レスポンスを推定するために受信機システムで使用されることができる。各々のデータストリームのための多重化されたパイロット及び符号化されたデータは、それから、変調シンボルを提供するために、そのデータストリームについて選択された特定の変調スキーム（例えば、ＢＰＳＫ、ＱＳＰＫ、Ｍ−ＰＳＫ、又はＭ−ＱＡＭ）に基づいて、変調（すなわち、シンボルマッピング）される。各々のデータストリームに関するデータレート、符号化及び変調は、プロセッサ７３０により実行されるインストラクションにより決定されることができる。データメモリ７３２は、プログラムコード、データ、及びプロセッサ７３０又はデバイス７１０の他のコンポーネントにより使用される他の情報を格納しても良い。
【００４３】
すべてのデータストリームのための変調シンボルは、それから、ＴＸ ＭＩＭＯプロセッサ７２０に提供され、そして、ＴＸ ＭＩＭＯプロセッサ７２０は、更に、（例えば、ＯＦＤＭに関して）該変調シンボルを処理することができる。ＴＸ ＭＩＭＯプロセッサ７２０は、それから、ＮＴ個の変調シンボル・ストリームをＮＴ個の送受信機（“ＸＣＶＲ”）７２２Ａ〜７２２Ｔに提供する。幾つかの実施形態では、ＴＸ ＭＩＭＯプロセッサ７２０は、データストリームのシンボルに及び該シンボルが送信されているアンテナに、ビームフォーミング重みを適用する。
【００４４】
各々の送受信機７２２は、１又は複数のアナログ信号を提供するために、それぞれのシンボル・ストリームを受信及び処理し、そして、ＭＩＭＯチャネル上での伝送に適した変調信号を供給するために、該アナログ信号を更に調整（conditions）（例えば、増幅、フィルタリング及びアップコンバート）する。送信機７２２Ａ〜７２２ＴのＮＴ個の変調信号は、それから、それぞれ、ＮＴ個のアンテナ７２４Ａ〜７２４Ｔから送信される。
【００４５】
デバイス７５０において、送信された変調信号は、ＮＲ個のアンテナ７５２Ａ〜７５２Ｒにより受信され、そして、各々のアンテナ７５２からの該受信された信号は、それぞれの送受信機（“ＸＣＶＲ”）７５４Ａ〜７５４Ｒに提供される。各々の送受信機７５４は、それぞれの受信された信号を調整（例えば、フィルタリング、増幅及びダウンコンバート）し、サンプルを提供するために、該調整された信号をデジタイズし、更に、対応する“受信（received）”シンボル・ストリームを提供するために、該サンプルを処理する。
【００４６】
受信（“ＲＸ”）データプロセッサ７６０は、それから、ＮＴ個の“検出（detected）”シンボル・ストリームを提供するために、特定の受信機処理技術に基づいて、ＮＲ個の受信機７５４から、該ＮＲ個の受信シンボル・ストリームを受信し処理する。ＲＸデータプロセッサ７６０は、それから、データストリームのためのトラフィック・データを回復するために、各々の検出シンボル・ストリームを、復調し、デインターリーブし、そして、復号化する。ＲＸデータプロセッサ７６０による処理は、デバイス７１０におけるＴＸ ＭＩＭＯプロセッサ７２０及びＴＸデータプロセッサ７１４により実行されるそれと相補的である。
【００４７】
プロセッサ７７０は、周期的に、いずれのプリコーディング・マトリックスを使用するべきかについて判定する（以下に記載する）。プロセッサ７７０は、マトリックス・インデックス部とランク値部とを含む逆方向リンク・メッセージを作成する。データメモリ７７２は、プログラムコード、データ、及びプロセッサ７７０又はデバイス７５０の他のコンポーネントにより使用される他の情報を格納しても良い。
【００４８】
逆方向リンク・メッセージは、通信リンク及び／又は受信データストリームに関して様々なタイプの情報を含むことができる。逆方向リンク・メッセージは、それから、ＴＸデータプロセッサ７３８（それはまた、データソース７３６から幾つかのデータストリームのためのトラフィック・データを受信する。）により処理され、変調器７８０により変調され、送信機７５４Ａ〜７５４Ｒにより調整され、そして、もとのデバイス７１０へ送信される。
【００４９】
デバイス７１０において、デバイス７５０からの変調信号は、デバイス７５０により送信された逆方向リンク・メッセージを抽出するために、アンテナ７２４により受信され、送受信機７２２により調整され、復調器（“ＤＥＭＯＤ”）７４０により復調され、そして、ＲＸデータプロセッサ７４２により処理される。プロセッサ７３０は、それから、いずれのプリコーディング・マトリックスを、ビームフォーミング重みを決定するための用いるかについて判定し、次に、該抽出されたメッセージを処理する。
【００５０】
本明細書の教示は、様々なタイプの通信システム及び／又はシステム・コンポーネントに組み込まれても良い。幾つかの態様において、本発明の教示は、（例えば、バンド幅、送信電力、符号化、インターリービングなどのうちの１つ又は複数を指定することによって）利用可能なシステム・リソースを共有することによって、複数のユーザとのコミュニケーションをサポートすることができる多元接続システムで使用されても良い。例えば、本明細書の教示は、以下の技術の任意の一つ又は組み合わせに適用されても良い：符号分割多元接続（“ＣＤＭＡ”）システム、マルチキャリアＣＤＭＡ（“ＭＣＣＤＭＡ”）、ワイドバンドＣＤＭＡ（“Ｗ−ＣＤＭＡ”）、高速パケット・アクセス（“ＨＳＰＡ”，“ＨＳＰＡ＋”）システム、時分割多元接続（“ＴＤＭＡ”）システム、周波数分割多元接続（“ＦＤＭＡ”）システム、シングルキャリアＦＤＭＡ（“ＳＣ−ＦＤＭＡ”）システム、直交周波数分割多元接続（“ＯＦＤＭＡ”）システム又は他の多元接続技術。本明細書の教示を使用する無線通信システムは、例えばＩＳ−９５、ｃｄｍａ２０００、ＩＳ−８５６、Ｗ−ＣＤＭＡ、ＴＤＳＣＤＭＡ、及び他の標準のような１又は複数の標準を実装するようにデザインされることができる。ＣＤＭＡネットワークは、例えばユニバーサル地上無線アクセス（“ＵＴＲＡ”）、ｃｄｍａ２０００、又は何らかの他の技術のような無線技術を実装することができる。ＵＴＲＡは、Ｗ−ＣＤＭＡ及び低チップレート（“ＬＣＲ”）を含む。ｃｄｍａ２０００技術は、ＩＳ−２０００標準、ＩＳ−９５標準及びＩＳ−８５６標準をカバーする。ＴＤＭＡネットワークは、例えばグローバル移動体通信システム（“ＧＳＭ”）のような無線技術を実装することができる。ＯＦＤＭＡネットワークは、例えばEvolved ＵＴＲＡ（“Ｅ−ＵＴＲＡ”）、ＩＥＥＥ ８０２．１１、ＩＥＥＥ ８０２．１６、ＩＥＥＥ ８０２．２０、Ｆｌａｓｈ−ＯＦＤＭ（登録商標）などのような無線技術を実装することができる。ＵＴＲＡ、Ｅ−ＵＴＲＡ及びＧＳＭは、ユニバーサル移動通信システム（“ＵＭＴＳ”）の一部である。本明細書の教示は、３ＧＰＰロングタームエボリューション（“ＬＴＥ”）システム、ウルトラ・モバイル・ブロードバンド（“ＵＭＢ”）システム、及び他のタイプのシステムで実装されても良い。ＬＴＥは、Ｅ−ＵＴＲＡを使うＵＭＴＳのリリースである。本開示のある態様は３ＧＰＰの専門用語を使用して説明されるかもしれないが、本明細書の教示は、３ＧＰＰ （Ｒｅ１９９，Ｒｅ１５，Ｒｅ１６，Ｒｅ１７）技術だけでなく、３ＧＰＰ２ （ＩｘＲＴＴ，１ｘＥＶ−ＤＯ ＲｅｌＯ，ＲｅｖＡ，ＲｅｖＢ）技術及び他の技術にも適用されることができることは理解されるべきである。
【００５１】
本明細書の教示は、種々の装置（例えば、ノード）に組み込まれても良い（例えば、それらの内部に実装されても良いし、あるいは、それらによって実行されても良い）。幾つかの態様において、本明細書の教示に従って実装されるノード（例えば、無線ノード）は、アクセスポイント又はアクセス端末を含んでも良い。
【００５２】
例えば、アクセス端末は、ユーザ装置、加入者設備、加入者ユニット、モバイル局、モバイル、モバイル・ノード、リモートステーション、リモート端末、ユーザ端末、ユーザ・エージェント、ユーザ・デバイス、又は何らかの他の専門用語として知られ、あるいは、それらとして実装され、あるいは、それらを含んでも良い。幾つかの実装において、アクセス端末は、携帯電話、コードレス電話、セッション開始プロトコル（“ＳＩＰ”）電話、ワイヤレ・スローカル・ループ（“ＷＬＬ”）局、携帯情報端末（“ＰＤＡ”）、無線接続機能を持つ携帯用デバイス、又は無線モデムに接続される何らかの他の適した処理デバイスを含んでも良い。したがって、本明細書で教えられる１又は複数の態様は、電話（例えば、携帯電話（cellular phone）又は高度自動機能電話（smart phone））、コンピュータ（例えば、ラップトップ）、携帯型通信デバイス、携帯型コンピュータデバイス（例えば、パーソナル・データ・アシスタント）、エンターテイメント・デバイス（例えば、音楽デバイス、ビデオデバイス又は衛星ラジオ）、グローバル・ポジショニング・システム・デバイス、又は無線媒体を介して通信するように構成される任意の他の適したデバイスに組み込まれても良い。
【００５３】
アクセスポイントは、Ｎｏｄｅ Ｂ、ｅＮｏｄｅ Ｂ、無線ネットワーク制御装置（“ＲＮＣ”）、基地局（“ＢＳ”）、無線基地局（“ＲＢＳ”）、基地局制御装置（“ＢＳＣ”）、無線基地局（base transceiver station）（“ＢＴＳ”）、送受信機機能（“ＴＦ”）、無線送受信機、無線ルータ、基本サービスセット（“ＢＳＳ”）、拡張サービスセット（“ＥＳＳ”）、又は何らかの他の同様の専門用語として知られ、あるいは、それらとして実装され、あるいは、それらを含んでも良い。
【００５４】
幾つかの態様において、ノード（例えば、アクセスポイント）は、通信システムのためのアクセスノードを含んでも良い。そのようなアクセスノードは、例えば、ネットワーク（例えばインターネット又はセルラーネットワークのようなワイドエリアネットワーク）に対する或いは該ネットワークまでの接続性を、該ネットワークへの無線又は有線の通信リンクを介して、提供する。したがって、アクセスノードは、他のノード（例えば、アクセス端末）が、ネットワーク又は何らかの他の機能性にアクセスするのを可能にすることができる。その上、ノードの一方又は両方がポータブルであっても良いし、場合によっては、相対的に非ポータブルであっても良いことは認識されるべきである。
【００５５】
さらに、無線ノードに非無線の方法で（例えば、配線接続によって）情報を送信及び／又は受信する能力があっても良いことは認識されるべきである。それゆえ、本明細書で議論されるような受信機及び送信機は、非無線の媒体によって通信するための適切な通信インタフェース・コンポーネント（例えば、電気的な又は光学的なインタフェース・コンポーネント）を含んでも良い。
【００５６】
無線ノードは、任意の適切な無線通信技術に基づくか又はそうでなければそれをサポートする１つ又は複数の無線通信リンクを介して、通信しても良い。例えば、幾つかの態様において、無線ノードは、ネットワークと関連していても良い。幾つかの態様において、ネットワークは、ローカルエリアネットワーク又はワイドエリアネットワークを含んでも良い。無線デバイスは、本明細書で議論されるような種々の無線通信技術、プロトコル又は標準（例えば、ＣＤＭＡ、ＴＤＭＡ、ＯＦＤＭ、ＯＦＤＭＡ、ＷｉＭａｘ、Ｗｉ−Ｆｉなど）の１つ又は複数をサポートしても良く又はそうでなければ使用しても良い。同様に、無線ノードは、種々の対応する変調スキーム又は多重化スキームの１つ又は複数をサポートしても良く又はそうでなければ使用しても良い。無線ノードは、それゆえ、上述の又は他の無線通信技術を使用して、１つ又は複数の無線通信リンクを介して確立及び通信するための適切なコンポーネント（例えば、エアー・インターフェース）を含んでも良い。例えば、無線ノードは、無線媒体を通した通信を容易にする様々なコンポーネント（例えば、信号発生器及び信号プロセッサ）を含むことができる関連した送信機コンポーネント及び受信機コンポーネントを備えた無線送受信機を含んでも良い。
【００５７】
下記の実施形態は、ＵＥのデータベースを拡張する他の方法を説明する。図８は、マイクロセル環境２５０における変化に基づくＵＥ２２０のデータベースの拡張の方法を例示する。ステップ８０２において、ＵＥ２２０は、それが最も強い信号を受信した時点で、フェムトセルの近隣のマクロセルへのＲＦ測定値を格納する。ステップ８０４において、ＵＥ２２０は、マクロセル位相オフセットに関連するＲＦ測定を実行する。ステップ８０６において、ＵＥ２２０のデータベースは、マクロセル環境における変化に関係する情報をダウンロードされるようになる。ＵＥ２２０がフェムトセルからのより強い信号をサンプリングするごとに、ＵＥ２２０のデータベース中の情報が更新されるようになる。最後に、関連するＵＥによりレポートされる測定値と、フェムトにおいて作られたそれらとにおいて大きな相違が存在するならば、フェムトセルにおけるＲＦ測定値は、ＵＥ２２０における何らかのエラー状態をトリガーするために使用されることができる。
【００５８】
図９は、本明細書で説明される更なる態様に従ったシステム９００のサンプル・ブロック図を示す。システム９００は、フェムトセルを検出することを容易にすることができる装置を提供する。詳しくは、システム８００は、例えば、実行手段９１０、接続手段９２０、ダウンロード手段９３０、送信又は送信手段（sending or transmitting means）９４０、処理手段９５０、記憶手段９６０（各々は通信リンク９０５に接続されており、通信リンク９０５を通して他のモジュールあるいは手段と通信することができる）のような複数のモジュールあるいは手段を含むことができる。
【００５９】
情報及び信号は、いろいろな異なるテクノロジー及びテクニックの任意のものを用いて表現可能であることを、当業者は理解できるであろう。例えば、上記説明の間に参照される、データ、インストラクション、コマンド、情報、信号、ビット、シンボル、及び、チップは、電圧、電流、電磁波、磁場若しくは磁性粒子（magnetic fields or particles）、光場若しくは光学粒子（optical fields or particles）、又はそれらの任意の組み合わせにより表現可能である。
【００６０】
本明細書で開示された実施形態に関連して説明された、各種の説明する論理ブロック、モジュール、回路、及び、アルゴリズムのステップは、電子回路用ハードウェア、コンピュータソフトウェア、又は、それらの組み合わせとして、実装されても良いことを、当業者はさらに理解できるであろう。このハードウェア及びソフトウェアの互換性をめいりょうに説明するために、各種の説明するコンポーネント、ブロック、モジュール、回路、及びステップが、一般に、それらの機能性の観点で、前述された。当該の機能性は、システム全体に課される特定のアプリケーション及びデザインの制約に応じて、ハードウェア又はソフトウェアとして実装される。当業者は、説明された機能性を、各々のアプリケーションのためのさまざまな方法で実装しても良いが、当該の実装の決定は、本発明の範囲からの逸脱をもたらすものとして説明されるべきではない。
【００６１】
本明細書に開示された実施形態に関連して説明された、種々の説明に役立つ、論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジック、個別のハードウェアコンポーネント、又は本明細書で説明された機能を実行するようにデザインされた任意のそれらの組み合わせで実装されても良い。汎用プロセッサは、マイクロプロセッサであっても良いが、代わりに、プロセッサは、任意の従来のプロセッサ、コントローラ、マイクロコントローラ、又はステートマシンであっても良い。プロセッサはまた、コンピュータデバイスの組み合わせ、例えば、ＤＳＰとマイクロプロセッサとの組合せ、複数のマイクロプロセッサ、ＤＳＰコアと連結する１つ又は複数のマイクロプロセッサ、又は、他のそのような構成、として実装されても良い。
【００６２】
本明細書に開示された実施形態に関連して説明された方法又はアルゴリズムのステップは、直接、ハードウェアにより具体化されても良いし、プロセッサにより実行されるソフトウェアモジュールにより具体化されても良いし、又は、それら二つの組合せにより具体化されても良い。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該技術分野において周知の任意の他のフォームの記憶媒体に存在しても良い。例示的な記憶媒体は、プロセッサがその記憶媒体から情報を読み込み、また、それへ情報を書き込むことができるように、そのプロセッサに接続される。代わりに、記憶媒体は、プロセッサに一体化されていても良い。プロセッサ及び記憶媒体は、ＡＳＩＣにおいて存在してもよい。ＡＳＩＣは、ユーザ端末に存在しても良い。代案では、プロセッサ及び記憶媒体は、ユーザ端末の個別のコンポーネントとして存在しても良い。
【００６３】
開示された実施形態の前の説明は、当業者が本発明を製造又は使用できるようにするために提供される。これらの実施形態への種々の変形は、当業者には容易に明白になるであろう。また、本発明で定義された一般的な原理は、本発明の精神又は範囲から逸脱することなく、他の実施形態に適用されても良い。それゆえ、本発明は、本明細書で示された実施形態に限定されることが意図されているのではなく、本明細書に開示された原理及び新規な特徴に合致する最も広い範囲を与えられることが意図されている。
【図１】
2011501918.tif 000003
【図２】
2011501918.tif 000004
【図３】
2011501918.tif 000005
【図４】
2011501918.tif 000006
【図５】
2011501918.tif 000007
【図６】
2011501918.tif 000008
【図７Ａ】
2011501918.tif 000009
【図７Ｂ】
2011501918.tif 000010
【図８】
2011501918.tif 000011
【図９】
2011501918.tif 000012
【国際調査報告】
2011501918.tif 000013
2011501918.tif 000014
2011501918.tif 000015
2011501918.tif 000016
2011501918.tif 000017